(57)【要約】【課題】バヨネット式の本管（ソケット側）と連結管（プラグ側）との連結継手においても、外力からの応力等により本管と連結管との不本意脱着がある。【解決手段】本管１０の外周部にはバヨネットピン１２と突起爪１３とを設け、連結管２０には一側端面にバヨネット溝２４と他側端面に平面２５とを有するアーム部２３を設け、該本管１０に該連結管２０を挿嵌し、該連結管２０の回転により該バヨネット溝２４に該バヨネットピン１２が掛止されると、該突起爪１３が該平面２５に当接し逆回転防止ができるようにする。【選択図】　　　　図１
2004044619.tif 000002
【特許請求の範囲】
【請求項１】
略円筒管の一端面に開口部を有する本管と、略円筒管の一端面に開口部を有する配管パイプ結合部と他端面に開口部を有する挿入口とを有する連結管と、から構成され、該本管一端部の外周部には二つ又はそれ以上のバヨネットピンと一つ又はそれ以上の突起爪とを設け、該連結管には一側端面にバヨネット溝を有する二つ又はそれ以上のアーム部を設け、該本管の開口部には該連結管の挿入口を挿嵌し、該本管及び／又は該連結管を回転することにより該連結管アーム部のバヨネット溝に該本管のバヨネットピンが掛止されて、該本管と該連結管とが連結される連結継手であって、該本管の突起爪が該連結管アーム部の他側端面に当接することにより逆回転防止できることを特徴とする連結継手。
【請求項２】
略円筒管の一端面に開口部を有する本管と、一端面が閉塞され他端面に挿入口を有する蓋管と、から構成され、該本管一端部の外周部には二つ又はそれ以上のバヨネットピンと一つ又はそれ以上の突起爪とを設け、該蓋管には一側端面にバヨネット溝を有する二つ又はそれ以上のアーム部を設け、該本管の開口部には該蓋管の挿入口を挿嵌し、該本管及び／又は該蓋管を回転することにより該蓋管アーム部のバヨネット溝に該本管のバヨネットピンが掛止されて、該本管と該蓋管とが連結される連結継手であって、該本管の突起爪が該蓋管アーム部の他側端面に当接することにより逆回転防止できることを特徴とする連結継手。
【発明の詳細な説明】
【０００１】
【発明の属する技術分野】
本発明は、本管にビニールホース等の配管パイプ等を連結するのに有用なバヨネット（差込み）式の本管と連結管との連結継手に係るものであり、詳しくは本管と連結管との不本意脱着防止の改善に関する。
【０００２】
【従来の技術】
従来から、略円筒管の一端面に開口部を有する本管と、略円筒管の一端面に開口部を有する配管パイプ結合部と他端面に開口部を有する挿入口とを有する連結管と、から構成され、該本管一端部の外周部には二つ又はそれ以上のバヨネットピン（掛止爪）を設け、該連結管には一側端面にバヨネット溝（掛止誘導溝）を有する二つ又はそれ以上のアーム部を設け、該本管の開口部には該連結管の挿入口を挿嵌し、該本管及び／又は該連結管を回転することにより該連結管アーム部のバヨネット溝（掛止誘導溝）に該本管のバヨネットピン（掛止爪）が掛止されて、該本管と該連結管とが連結される連結継手が知られていた。
【０００３】
【発明が解決しようとする課題】
しかしながら、外力からの応力等により該本管と該連結管との不本意脱着があるという問題点があった。
【０００４】
従来の技術の有するこのような問題点を鑑みてなされたものに、例えば、実公昭和４２−１３２６０号公報等に開示されているように、連結管（キャップ）内に常時弾発付勢するバネを設ける技術や、例えば、実開平５−９２５２９号公報等に開示されているように、バヨネット溝内にスペーサを挿入する技術や、特開平９−６０７８２号公報等に開示されているように、回転防止ツメと嵌合穴とが嵌合するように本管と該連結管とに設ける技術がある。
【０００５】
しかしながら、前者の２公報等の開示技術においては、バネ或いはスペーサという部品が必要であり、コスト的に不利である。後者公報等の開示技術においては、回転防止ツメと嵌合穴との嵌合部を設けた分だけ形状的に不利である。
【０００６】
本発明は、従来の技術の有するこのような問題点を鑑みてなされたものであり、その目的とするところは、追加部品も無く形状的にも有利であり、外力からの応力等では容易に脱着出来ない連結継手を提供しようとするものである。
【０００７】
【課題を解決するための手段】
上記目的を達成するために、本発明の連結継手においては、略円筒管の一端面に開口部を有する本管（例えば、合成樹脂管、金属管、ストレート管、Ｌ字形管等、又本管は、例えば、電磁式給水弁等の流出口等でも良い。）と、略円筒管の一端面に開口部を有する配管パイプ結合部（例えば、ビニールホース等の配管パイプ等を連結できる形状のもの）と他端面に開口部を有する挿入口（例えば、挿入口の外周部に凹形溝を設け、Ｏリング等のパッキン類を外嵌すると良い。）とを有する連結管（例えば、合成樹脂管、金属管）と、から構成され、該本管一端部の外周部には二つ又はそれ以上のバヨネットピン（例えば、円柱形、角柱形、円錐形、角錐形、ひづめ形）と一つ又はそれ以上の突起爪（例えば、楔形、円柱形、角柱形、円錐形、角錐形、ひづめ形）とを設け、該連結管には一側端面にバヨネット溝（例えば、Ｌ字形、Ｉ字形）を有する二つ又はそれ以上のアーム部（該連結管と一体形成されたものでも、例えば、合成樹脂、金属等で形成された別部品でも良い。）を設け、該本管の開口部には該連結管の挿入口を挿嵌し、該本管及び／又は該連結管を回転（例えば、右回転）することにより該連結管アーム部のバヨネット溝に該本管のバヨネットピンが掛止されて、該本管と該連結管とが連結される連結継手であって、該本管の突起爪が該連結管アーム部の他側端面に当接することにより逆回転（例えば、左回転）防止できることを特徴とする。
【０００８】
又、本管の開口部を一時的に閉塞しておきたい場合の連結継手においては、略円筒管の一端面に開口部を有する本管と、一端面が閉塞され他端面に挿入口を有する蓋管（前記連結管との置換部品）と、から構成され、該本管一端部の外周部には二つ又はそれ以上のバヨネットピン及び一つ又はそれ以上の突起爪を設け、該蓋管には一側端面にバヨネット溝を有する二つ又はそれ以上のアーム部を設け、該本管の開口部には該蓋管の挿入口を挿嵌し、該本管及び／又は該蓋管を回転することにより該蓋管アーム部のバヨネット溝に該本管のバヨネットピンが掛止されて、該本管と該蓋管とが連結される連結継手であって、該本管の突起爪が該蓋管アーム部の他側端面に当接することにより逆回転防止できることを特徴とする。
【０００９】
【発明の実施の形態】
発明の実施の形態について図面を参照して説明する。
図１は本発明の一実施例の連結継手における本管１０と連結管２０の斜視図である。図１（ａ）は連結前の状態を示し、図１（ｂ）は連結後の状態を示す。
本発明の一実施例の連結継手においては、略円筒管の一端面に開口部１１（不図示）を有する本管１０（例えば、ＰＰ樹脂）と、略円筒管の一端面に開口部を有する配管パイプ結合部２１（例えば、ストレート形状のもの）と他端面に開口部を有する挿入口２２（例えば、ストレート形状のもの。不図示ではあるが、挿入口２２の外周部に凹形溝を設け、Ｏリング等のパッキン類を外嵌すると良い。）とを有する連結管２０（例えば、ＰＰ樹脂）と、から構成される。
該本管１０の一端部の外周部には二つの円柱形のバヨネットピン１２と二つの楔形の突起爪１３（後述するアーム部２３が容易に乗り越えることができるような形状とした。）とを設け、該連結管２０には一側端面に略Ｉ字形のバヨネット溝２４を有する二つアーム部２３（該連結管２０と一体形成されたもの）を設け、該本管１０の開口部１１には該連結管２０の挿入口２２を挿嵌し、該本管１０を固定し該連結管２０を左回転することにより該連結管２０のアーム部２３のバヨネット溝２４に該本管１０のバヨネットピン１２が掛止されて、該本管１０と該連結管２０とが連結される。
そして、外力からの応力等があった場合でも、該本管１０の突起爪１３が該連結管２０のアーム部２３の他側端面２５（本発明の一実施例では平面にしたが、例えば、凹形面でも良い。）に当接することにより逆回転防止ができ、容易に脱着できないようにした。
【００１０】
図２は本発明の他実施例の連結継手における本管１０と蓋管３０の斜視図である。図２（ａ）は連結前の状態を示し、図２（ｂ）は連結後の状態を示す。
本発明の他実施例の連結継手においては、本管１０の開口部１１を一時的に閉塞しておきたい場合の実施例である。
略円筒管の一端面に開口部１１（不図示）を有する本管１０（例えば、ＰＰ樹脂）と、一端面が閉塞され他端面に挿入口３２を有する蓋管３０（例えば、ＰＰ樹脂）と、から構成される。
該本管１０の一端部の外周部には二つの円柱形のバヨネットピン１２と二つの楔形の突起爪１３（後述するアーム部３３が容易に乗り越えることができるような形状とした。）とを設け、該蓋管３０には一側端面にバヨネット溝３４を有する二つのアーム部３３を設け、該本管１０の開口部１１には該蓋管３０の挿入口３２を挿嵌し、該本管１０を固定し該蓋管３０を左回転することにより該蓋管３０のアーム部３３のバヨネット溝３４に該本管１０のバヨネットピン１２が掛止されて、該本管１０と該蓋管３０とが連結される。
そして、外力からの応力等があった場合でも、該本管１０の突起爪１３が該蓋管３０のアーム部３３の他側端面３５（本発明の他実施例では平面にしたが、例えば、凹形面でも良い。）に当接することにより逆回転防止ができ、容易に脱着できないようにした。
【００１１】
図３は本発明の応用実施例の連結継手における電磁式給水弁４０の流出管４２と連結管２０の斜視図である。
本発明の応用実施例の連結継手においては、電磁式給水弁４０の流出管４２の開口部４３に連結管２０を連結する場合の実施例である。
電磁式給水弁４０の流出管４２（例えば、ＰＰ樹脂）の外周部には二つの円柱形のバヨネットピン４４（該流出管４２と一体形成されたもの）と二つの楔形の突起爪４５（該流出管４２と一体形成し、後述するアーム部２３が容易に乗り越えることができるような形状とした。）とを設ける。
連結管２０（例えば、ＰＰ樹脂）には略円筒管の一端面に開口部を有する配管パイプ結合部２１（例えば、ストレート形状のもの）と、他端面に開口部を有する挿入口２２（例えば、ストレート形状のもの。不図示ではあるが、挿入口２２の外周部に凹形溝を設け、Ｏリング等のパッキン類を外嵌すると良い。）と、一側端面に略Ｉ字形のバヨネット溝２４を有する二つアーム部２３（該連結管２０と一体形成されたもの）と、を設ける。
該流出管４２の開口部４３（不図示）には該連結管２０の挿入口２２を挿嵌し、該流出管４２を固定し該連結管２０を左回転することにより該連結管２０のアーム部２３のバヨネット溝２４に該流出管４２のバヨネットピン４４が掛止されて、該流出管４２と該連結管２０とが連結される。
そして、外力からの応力等があった場合でも、該流出管４２の突起爪４５が該連結管２０のアーム部２３の他側端面２５（本発明の一実施例では平面にしたが、例えば、凹形面でも良い。）に当接することにより逆回転防止ができ、容易に脱着できないようにした。
【００１２】
以上、本発明の好適な実施の形態について述べてきたが、本発明は上述する実施の形態に限定されるものでなく、発明の精神を逸脱しない範囲で多くの組合せ、改変等を施し得るのはもちろんである。
【００１３】
本発明の応用実施例の連結継手においては、本管を電磁式給水弁の流出管としたが、例えば、本管及び連結管を電気ケーブル等とし、一方の電気ケーブル等の外周部に外嵌する部品にはバヨネットピンと突起爪とを設け、他方の電気ケーブル等の外周部に外嵌する部品には一側端面にバヨネット溝と他側端面に平面とを有するアーム部を設けて、連結継手（コネクタ）として応用できるものである。
【００１４】
【発明の効果】
本発明における連結継手においては、追加部品も無く形状的にも有利であり、外力からの応力等では容易に脱着出来ないという効果を奏する。
【図面の簡単な説明】
【図１】図１は本発明の一実施例の連結継手における本管と連結管の斜視図である。
【図２】図２は本発明の他実施例の連結継手における本管と蓋管の斜視図である。
【図３】図３は本発明の応用実施例の連結継手における電磁式給水弁の流出管と連結管の斜視図である。
【符号の説明】
１０…本管、１１…開口部、１２…円柱形のバヨネットピン、１３…楔形の突起爪、２０…連結管、２１…配管パイプ結合部、２２…挿入口、２３…アーム部、２４…一側端面のバヨネット溝、２５…他側端面の平面、３０…蓋管、３２…挿入口、３３…アーム部、３４…一側端面のバヨネット溝、３５…他側端面の平面、４０…電磁式給水弁、４１…流入管、４２…流出管、４３…開口部、４４…円柱形のバヨネットピン、４５…楔形の突起爪
【図１】
2004044619.tif 000003
【図２】
2004044619.tif 000004
【図３】
2004044619.tif 000005